(57)【要約】【課題】筐体の軽量化、薄型化を図りつつ、盗難防止装置を装着したときに必要とされる強度を確保すること。【解決手段】情報処理端末は、盗難防止装置の一端部に設けられた掛合キー部が挿入されるセキュリティスロットが開口する側壁部を有する筐体と、前記側壁部と、前記側壁部に接続され、前記筐体の内側に配置された壁部を含み、前記セキュリティスロットと連通する第１の空間を形成する第１袋状部と、少なくとも前記第１の空間に隣接する第２の空間を形成する第２袋状部と、を備える。前記筐体は、下面カバーと、前記下面カバーに組み合わされる上面カバーと、を有し、前記下面カバーと前記上面カバーの一方は、前記第１袋状部及び前記第２袋状部を備え、前記下面カバーと前記上面カバーの他方は、前記下面カバーと前記上面カバーとが組み合わされた場合に、前記第２袋状部に嵌め込まれる嵌合リブを備える。【選択図】図１０
2018073121.tif 000002
【特許請求の範囲】
【請求項１】
盗難防止装置の一端部に設けられた掛合キー部が挿入されるセキュリティスロットが開口する側壁部を有する筐体と、
前記側壁部と、前記側壁部に接続され、前記筐体の内側に配置された壁部を含み、前記セキュリティスロットと連通する第１の空間を形成する第１袋状部と、
少なくとも前記第１の空間に隣接する第２の空間を形成する第２袋状部と、
を備えた情報処理端末。
【請求項２】
前記筐体は、下面カバーと、前記下面カバーに組み合わされる上面カバーと、を有し、
前記下面カバーと前記上面カバーの一方は、前記第１袋状部及び前記第２袋状部を備え、
前記下面カバーと前記上面カバーの他方は、前記下面カバーと前記上面カバーとが組み合わされた場合に、前記第２袋状部に嵌め込まれる嵌合リブを備えた請求項１に記載の情報処理端末。
【請求項３】
前記第１袋状部に含まれる壁部の両端がそれぞれ前記側壁部に接続され、前記第２袋状部に含まれる壁部の少なくとも一端が前記側壁部に接続された請求項１又は２に記載の情報処理端末。
【請求項４】
前記第１袋状部に含まれる壁部の両端がそれぞれ前記側壁部に接続され、前記第２袋状部に含まれる壁部の一端が前記側壁部に接続され、他端が前記第１袋状部に含まれる前記壁部に接続された請求項１乃至３のいずれか一項に記載の情報処理端末。
【請求項５】
前記第１袋状部に含まれる壁部の両端が前記側壁部に接続され、前記第２袋状部に含まれる壁部の両端が前記側壁部に接続された請求項１乃至３のいずれか一項に記載の情報処理端末。
【請求項６】
前記第１袋状部に含まれる壁部の両端が前記側壁部に接続され、前記第２袋状部に含まれる壁部の両端が前記第１袋状部に含まれる前記壁部に接続された請求項１乃至３のいずれか一項に記載の情報処理端末。
【請求項７】
前記第１袋状部に含まれる壁部と前記第２袋状部に含まれる前記壁部とを接続する接続リブをさらに備えた請求項１乃至６のいずれか一項に記載の情報処理端末。
【発明の詳細な説明】
【技術分野】
【０００１】
本明細書開示の発明は、情報処理端末に関する。
【背景技術】
【０００２】
従来、例えば、ノート型やクラムシェル型と称されるパーソナルコンピュータ（ＰＣ）等の情報処理端末の盗難防止を図るため、情報処理端末が備える筐体にワイヤを装着することが知られている（例えば、特許文献１参照）。特許文献１には、厚み寸法を小さくすることを目的として、本体ユニットと表示ユニットとを回動可能に接続するヒンジ機構の近傍に、盗難防止用のワイヤを固定する固定部が設けられた電子機器が開示されている。固定部は、ヒンジ機構の軸受部と共用される金具によって補強されている。
【先行技術文献】
【特許文献】
【０００３】
【特許文献１】特開２０１０−１４６１０８号公報
【発明の概要】
【発明が解決しようとする課題】
【０００４】
ところで、昨今、情報処理端末の軽量化、薄型化が図られており、これに伴って、筐体外壁の肉厚が薄くなってきている。筐体外壁の肉厚が薄くなると、筐体の強度が確保し難しくなり、筐体に装着されたワイヤが強い力で引っ張られた場合に、筐体のワイヤが装着されている部分が破壊される可能性がある。特許文献１は、電子機器の厚み寸法を小さくすることができ、また、金具を備えることで固定部を補強することができる。しかしながら、特許文献１では、部品点数が増加し、その分、電子機器の重量も増す。また、特許文献１では、固定部の位置がヒンジ機構の近傍に限定されていることから、ワイヤを装着する部分の配置の自由度が低い。さらに、電子機器には、例えばいわゆるタブレット型の情報処理端末のようにヒンジ機構を有さない場合もあり、このような場合、特許文献１の構造は適用できない。
【０００５】
１つの側面では、本明細書開示の情報処理端末は、筐体の軽量化、薄型化を図りつつ、盗難防止装置を装着したときに必要とされる強度を確保することを課題とする。
【課題を解決するための手段】
【０００６】
本明細書開示の情報処理端末は、盗難防止装置の一端部に設けられた掛合キー部が挿入されるセキュリティスロットが開口する側壁部を有する筐体と、前記側壁部と、前記側壁部に接続され、前記筐体の内側に配置された壁部を含み、前記セキュリティスロットと連通する第１の空間を形成する第１袋状部と、少なくとも前記第１の空間に隣接する第２の空間を形成する第２袋状部と、を備える。
【発明の効果】
【０００７】
本明細書開示の情報処理端末によれば、筐体の軽量化、薄型化を図りつつ、盗難防止装置を装着したときに必要とされる強度を確保することができる。
【図面の簡単な説明】
【０００８】
【図１】図１は第１実施形態の備える情報処理端末の斜視図である。
【図２】図２は第１実施形態の情報処理端末にセキュリティワイヤ及びケーブルを装着した状態を示す斜視図である。
【図３】図３は第１実施形態の情報処理端末が備える本体部筐体を上面側から観た分解斜視図である。
【図４】図４は第１実施形態の情報処理端末が備える本体部筐体を下面側から観た分解斜視図である。
【図５】図５は第１実施形態の第１袋状部および第２袋状部を拡大して示す平面図である。
【図６】図６は第１実施形態の第１袋状部および第２袋状部を拡大して示す斜視図である。
【図７】図７は第１実施形態の第１袋状部及び第２袋状部を示す説明図である。
【図８】図８は第１実施形態の上面カバーに設けられた嵌合リブを拡大して示す平面図である。
【図９】図９は第１実施形態の上面カバーに設けられた嵌合リブを拡大して示す斜視図である。
【図１０】図１０は図２におけるＡ−Ａ線断面図である。
【図１１】図１１（Ａ）は第２実施形態の第１袋状部および第２袋状部を拡大して示す平面図であり、図１１（Ｂ）は第２実施形態の第１袋状部および第２袋状部を拡大して示す側面図である。
【図１２】図１２は第２実施形態の第１袋状部および第２袋状部を拡大して示す斜視図である。
【図１３】図１３は第２実施形態の第１袋状部及び第２袋状部を示す説明図である。
【図１４】図１４は第３実施形態の第１袋状部および第２袋状部を拡大して示す斜視図である。
【図１５】図１５は第３実施形態の第１袋状部及び第２袋状部を示す説明図である。
【図１６】図１６は第４実施形態の第１袋状部及び第２袋状部を示す説明図である。
【図１７】図１７は第５実施形態の第１袋状部及び第２袋状部を示す説明図である。
【発明を実施するための形態】
【０００９】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１０】
（第１実施形態）
まず、図１〜図１０を参照して、第１実施形態の情報処理端末１について説明する。図１は第１実施形態の備える情報処理端末の斜視図である。図２は第１実施形態の情報処理端末にセキュリティワイヤ及びケーブルを装着した状態を示す斜視図である。図３は第１実施形態の情報処理端末が備える本体部筐体を上面側から観た分解斜視図である。図４は第１実施形態の情報処理端末が備える本体部筐体を下面側から観た分解斜視図である。図５は第１実施形態の第１袋状部および第２袋状部を拡大して示す平面図である。図６は第１実施形態の第１袋状部および第２袋状部を拡大して示す斜視図である。図７は第１実施形態の第１袋状部及び第２袋状部を示す説明図である。図８は第１実施形態の上面カバーに設けられた嵌合リブを拡大して示す平面図である。図９は第１実施形態の上面カバーに設けられた嵌合リブを拡大して示す斜視図である。図１０は図２におけるＡ−Ａ線断面図である。
【００１１】
本実施形態における情報処理端末１は、いわゆるノートＰＣであり、図１に示すように、表示部筐体２と本体部筐体３とを備えている。表示部筐体２は、液晶ディスプレイ２ａを備えている。また、表示部筐体２は、ヒンジ部２ｂを備えている。表示部筐体２は、ヒンジ部２ｂを介して本体部筐体３に対し、開閉自在に取り付けられている。
【００１２】
本体部筐体３は、下面カバー４と上面カバー５とを備える。下面カバー４と上面カバー５とを組み合わせた本体部筐体３が、本明細書において開示する筐体の一例に相当する。下面カバー４の内部には、マザーボード等が収納されている。上面カバー５は、その骨格をなす本体部５ａと、キーボード等が配置され、上面カバー５の化粧面となる入力部５ｂを備えている。本実施形態における下面カバー４及び上面カバー５は、マグネシウム合金製であるが、樹脂製としてもよい。
【００１３】
本体部筐体３は、側壁部３ａを備える。本実施形態では、側壁部３ａは、下面カバー４に設けられている。側壁部３ａには、図１０に示すように、盗難防止用のワイヤ（以下、セキュリティワイヤという）８の一端部に設けられた掛合キー部８ｂが挿入されるセキュリティスロット６が開口している。セキュリティワイヤ８は、盗難防止装置の一例である。側壁部３ａには、さらに、セキュリティスロット６と並列して、ケーブルスロット７ａ、７ｂや、その他のスロットが開口している。図２を参照すると、セキュリティスロット６には、セキュリティワイヤ８が装着され、ケーブルスロット７ａ、７ｂには、ケーブル９ａ、９ｂが装着される。なお、セキュリティワイヤ８は、ロック機構部８ａを備えており、ロック機構部８ａの先端に掛合キー部８ｂが設けられている。本体部筐体３にセキュリティワイヤ８が装着された状態では、掛合キー部８ｂが本体部筐体３内に位置し、ロック機構部８ａが本体部筐体３の外側に位置する。本実施形態におけるロック機構部８ａは、鍵を差し込んで開錠するシリンダ錠となっているが、ダイヤル式等、従来公知の形式のものを採用することができる。また、各図において、セキュリティワイヤ８のワイヤ本体部は、省略されている。
【００１４】
図３、図５乃至図７を参照すると、下面カバー４は、第１袋状部１０と第２袋状部１３とを備える。袋状部は、周囲を壁部で囲まれ、閉じた空間を形成している部分である。
【００１５】
第１袋状部１０は、側壁部３ａを含む。具体的に、第１袋状部１０は、少なくとも側壁部３ａのセキュリティスロット６の周囲の領域を含んでいる。第１袋状部１０は、さらに、側壁部３ａに接続され、下面カバー４の内側に配置された壁部１０ａ、１０ｂ、１０ｃを含む。このような第１袋状部１０は、セキュリティスロット６と連通する第１の空間１０１を形成している。具体的に、第１袋状部１０は、側壁部３ａ、第１壁部１０ａ、第２壁部１０ｂ及び第３壁部１０ｃによって囲まれて閉じられた第１の空間１０１を形成している。第１の空間１０１は、セキュリティスロット６に挿し込まれたセキュリティワイヤ８の掛合キー部８ｂが収納される。
【００１６】
第１壁部１０ａ、第２壁部１０ｂ及び第３壁部１０ｃが接続されて形成された壁部の両端は、側壁部３ａに接続されている。すなわち、第１壁部１０ａと第２壁部１０ｂとは、概ね平行に配置されており、いずれも側壁部３ａから下面カバー４の内側に向かって延びている。第１壁部１０ａは、第２壁部１０ｂよりも長く、本体部筐体３の奥側まで延びている。第３壁部１０ｃは、側壁部３ａと概ね平行となるように、第２壁部１０ｂの奥側の端部から第１壁部１０ａへ向かって延び、第１壁部１０ａに接続されている。これにより、矩形の第１の空間１０１が形成されている。
【００１７】
第２袋状部１３は、一端が側壁部３ａに接続された第４壁部１３ａと、一端が第４壁部１３ａの端部と接続され、他端が第１壁部１０ａの端部と接続された第５壁部１３ｂを含む。第１袋状部１０を形成する第１壁部１０ａの一部は、第２袋状部１３の一部を形成している。第２袋状部１３は、第１袋状部１０の周囲に第１の空間１０１に隣接する第２の空間１３１を形成している。具体的に、第２袋状部１３は、側壁部３ａ、第１壁部１０ａ、第２壁部１０ｂ、第３壁部１０ｃ、第４壁部１３ａ及び第５壁部１３ｂによって囲まれて閉じられた第２の空間１３１を形成している。
【００１８】
ここで、側壁部３ａ、第１壁部１０ａ乃至第５壁部１３ｂの肉厚は概ね均一である。
【００１９】
下面カバー４は、第１袋状部１０に含まれる側壁部３ａに接続された第４壁部１３ａ、第１壁部１０ａに接続された第５壁部１３ｂを含む第２袋状部１３を備えるので、第１袋状部１０周辺の強度が高い。すなわち、単に第１袋状部１０に含まれる第１壁部１０ａ等に接続されるリブを設けるのではなく、閉じた第２の空間１３１を形成する第２袋状部１３を第１袋状部１０に接続させて設けたので、より高い強度が確保される。第１袋状部１０周辺の強度が高くなると、第１の空間１０１内に掛合キー部８ｂが収納された状態でセキュリティワイヤ８が引っ張られたときに、第１袋状部１０周辺に生じる応力が低下し、第１袋状部１０周辺の破損が回避される。
【００２０】
また、第２袋状部１３を第１袋状部１０に接続させた状態で設けたので、スペース効率の面でも有利であり、省スペース化を図ることができる。例えば、第１袋状部１０に接続されるリブを設けて必要な強度を確保しようとすると、リブの長さが長くなることが想定される。しかしながら、セキュリティスロット６の周囲には、ケーブルスロット７ａ等が設けられており、本体部筐体３の内部にはコネクタ等が設けられる。長さの長いリブは、本体部筐体３内に設けられるこれらの部品の配置の妨げとなる。本実施形態の下面カバー４では、このような問題が解消される。
【００２１】
なお、例えば、第１袋状部１０を形成する第１壁部１０ａ等の壁部の厚みを厚くしたり、第２袋状部１３に相当する箇所に下面カバー４を形成する素材を充填したりすることで第１壁部１０ａ周辺の強度を確保することが考えられる。しかしながら、壁部の厚みを増したり、該当箇所に素材を充填したりすると、下面カバー４の表面側にひけが生じる可能性がある。ひけが生じると、製品の外観ムラが生じ、望ましくない。
【００２２】
また、下面カバー４を、例えば、金型を用いて製造する場合を想定すると、壁部を肉厚とすることで、第１の空間１０１や第２の空間１３１を形成し難くなることが想定され、望ましくない。
【００２３】
つぎに、図８乃至図１０を参照しつつ、上面カバー５について説明する。図８、図９を参照すると、上面カバー５は、第１袋状部１０及び第２袋状部１３が設けられた下面カバー４組み合わされた場合に、第２袋状部１３に嵌め込まれる嵌合リブ１５を備えている。嵌合リブ１５は、上面カバー５の下面カバー４と対向する面側に、下面カバー４側に向かって突出するように設けられている。
【００２４】
図１０を参照すると、下面カバー４と上面カバー５とが組み合わされた場合、嵌合リブ１５が第２袋状部１３内に嵌め込まれる。第２袋状部１３に嵌め込まれた嵌合リブ１５は、第３壁部１０ｃと第５壁部１３ｂとの間に配置された状態となる。すなわち、第３壁部１０ｃ、嵌合リブ１５及び第５壁部１３ｂが、この順で積層配置された状態となる。これにより、セキュリティワイヤ８が引っ張られると、第５壁部１３ｂが嵌合リブ１５に接触することで、下面カバー４の第１袋状部１０及び第２袋状部１３の周辺の変形を抑制し、下面カバー４の破損を抑制する。第５壁部１３ｂは第１壁部１０ａと第４壁部１３ａを介して側壁部３ａに接続されており、さらに、第１壁部１０ａを介して第１袋状部１０とも接続されている。このような第５壁部１３ｂと第３壁部１０ｃとの間に嵌合リブ１５が嵌め込まれると、側壁部３ａから第５壁部１３ｂまでが一塊となり、第１袋状部１０周辺の強度が増す。
【００２５】
なお、本実施形態では、下面カバー４に側壁部３ａ、第１袋状部１０及び第２袋状部１３が設けられているため、上面カバー５に嵌合リブ１５が設けられているが、これとは逆の配置としてもよい。すなわち、上面カバー５に側壁部３ａ、第１袋状部１０及び第２袋状部１３を設け、下面カバー４に嵌合リブ１５を設けてもよい。
【００２６】
また、本実施形態では、第１袋状部１０と第２袋状部１３を備えているが、第２袋状部１３以外に、第１の空間１０１に隣接する他の空間を形成する他の袋状部を備えてもよい。この場合も、他の空間を、閉じた空間とすることで、省スペース化を図りつつ、強度を向上させることができる。
【００２７】
本実施形態によれば、本体部筐体３の軽量化、薄型化を図りつつ、セキュリティワイヤ８を装着したときに必要とされる強度を確保することができる。すなわち、本実施形態によれば、部品点数が増加せず、本体部筐体３の軽量化、薄型化を図りつつ、強度を確保することができる。本実施形態であれば、セキュリティワイヤ８を装着する部分の配置の自由度が高い。さらに、本実施形態であれば、例えば、いわゆるタブレット型の情報処理端末のようにヒンジ機構を有さない場合にも適用することができる。
【００２８】
（第２実施形態）
つぎに、第２実施形態につき、図１１（Ａ）乃至図１３を参照しつつ説明する。図１１（Ａ）は第２実施形態の第１袋状部および第２袋状部を拡大して示す平面図であり、図１１（Ｂ）は第２実施形態の第１袋状部および第２袋状部を拡大して示す側面図である。図１２は第２実施形態の第１袋状部および第２袋状部を拡大して示す斜視図である。図１３は第２実施形態の第１袋状部及び第２袋状部を示す説明図である。以下の説明では、主として、第１実施形態と異なる点について説明する。第１実施形態と共通する構成要素には、同一の参照番号が用いられている。
【００２９】
第２実施形態における側壁部２３ａは、下面カバー２４に設けられている。側壁部２３ａには、図１１（Ａ）、図１１（Ｂ）に示すように、セキュリティワイヤ８の一端部に設けられた掛合キー部８ｂが挿入されるセキュリティスロット２６が開口している。
【００３０】
図１１（Ａ）、図１２及び図１３を参照すると、下面カバー２４は、第１袋状部３０と第２袋状部３３とを備える。
【００３１】
第１袋状部３０は、側壁部２３ａを含む。具体的に、第１袋状部３０は、少なくとも側壁部２３ａのセキュリティスロット２６の周囲の領域を含む。第１袋状部３０は、さらに、側壁部２３ａに接続され、下面カバー２４の内側に配置された壁部３０ａ、３０ｂ、３０ｃを含んでいる。このような第１袋状部３０は、セキュリティスロット２６と連通する第１の空間３０１を形成している。具体的に、第１袋状部３０は、側壁部３ａ、第１壁部３０ａ、第２壁部３０ｂ及び第３壁部３０ｃによって囲まれて閉じられた第１の空間３０１を形成している。第１の空間３０１は、セキュリティスロット２６に挿し込まれたセキュリティワイヤ８の掛合キー部８ｂが収納される。
【００３２】
第１壁部３０ａ、第２壁部３０ｂ及び第３壁部３０ｃが接続されて形成された壁部の両端は、側壁部２３ａに接続されている。すなわち、第１壁部３０ａと第２壁部３０ｂとは、概ね平行に配置されており、いずれも側壁部２３ａから下面カバー２４の内側に向かって延びている。第１壁部３０ａと第２壁部３０ｂとは、ほぼ同等の長さである。第３壁部３０ｃは、側壁部２３ａと概ね平行となるように、第１壁部３０ａの奥側の端部と第２壁部３０ｂの奥側の端部とを接続している。これにより、矩形の第１の空間３０１が形成されている。
【００３３】
第２袋状部３３も、側壁部２３ａを含む。具体的に、第２袋状部３３は、側壁部２３ａにおいて、第１袋状部３０に含まれる領域の外側の領域を含む。第２袋状部３３は、さらに、側壁部２３ａに接続され、下面カバー２４の内側に配置された壁部３０ａ、３０ｂ、３０ｃ、３３ａ、３３ｂ、３３ｃを含んでいる。このような第２袋状部３３は、第１袋状部３０の周囲に第１の空間３０１に隣接する第２の空間３３１を形成している。具体的に、第２袋状部３３は、側壁部２３ａ、第１壁部３０ａ、第２壁部３０ｂ、第３壁部３０ｃ、第４壁部３３ａ、第５壁部３３ｂ及び第６壁部３３ｃによって囲まれて閉じられた第２の空間３３１を形成している。
【００３４】
第４壁部３３ａ、第５壁部３３ｂ及び第６壁部３３ｃが接続されて形成された壁部の両端は、側壁部２３ａに接続されている。すなわち、第４壁部３３ａと第５壁部３３ｂとは、概ね平行に配置されており、いずれも側壁部２３ａから下面カバー２４の内側に向かって延びている。第４壁部３３ａと第５壁部３３ｂとは、ほぼ同等の長さである。第６壁部３３ｃは、側壁部２３ａと概ね平行となるように、第４壁部３３ａの奥側の端部と第５壁部３３ｂの奥側の端部とを接続している。第４壁部３３ａ及び第５壁部３３ｂは、第１壁部３０ａ及び第２壁部３０ｂに対しても概ね平行となっている。
【００３５】
ここで、側壁部２３ａ、第１壁部３０ａ乃至第６壁部３３ｃの肉厚は概ね均一である。
【００３６】
下面カバー２４は、第１袋状部３０の周囲に第２袋状部３３を備えるので、第１袋状部３０周辺の強度が高い。本実施形態における第２袋状部３３は、第１実施形態の第２袋状部１３と異なっている。具体的に、第２袋状部３３を形成する一部の壁部が第１袋状部３０の壁部に接続されることなく設けられている。すなわち、第１実施形態では、第１壁部１０ａが第１袋状部１０と第２袋状部１３に共用されていたが、本実施形態では、このように両袋状部に共用される壁部は設けられていない。第１の空間３０１の両側にスペースを確保することができる場合には、側壁部２３ａから下面カバー２４の内側に向かって延びる壁部を共用することなく袋状部毎に別個の壁部を設けるようにすることができる。
【００３７】
第２実施形態においても、第２の空間３３１内には、第１実施形態と同様に嵌合リブ１５を嵌め込む。これにより、さらに強度が向上する。
【００３８】
（第３実施形態）
つぎに、第３実施形態につき、図１４及び図１５を参照しつつ説明する。図１４は第３実施形態の第１袋状部および第２袋状部を拡大して示す斜視図である。図１５は第３実施形態の第１袋状部及び第２袋状部を示す説明図である。以下の説明では、主として、第１実施形態と異なる点について説明する。第１実施形態と共通する構成要素には、同一の参照番号が用いられている。
【００３９】
第３実施形態における側壁部４３ａは、下面カバー４４に設けられている。側壁部４３ａには、セキュリティワイヤ８の一端部に設けられた掛合キー部８ｂが挿入されるセキュリティスロット４６が開口している。
【００４０】
図１４及び図１５を参照すると、下面カバー４４は、第１袋状部５０と第２袋状部５３とを備える。
【００４１】
第１袋状部５０は、側壁部４３ａを含む。具体的に、第１袋状部５０は、少なくとも側壁部４３ａのセキュリティスロット４６の周囲の領域を含む。第１袋状部５０は、さらに、側壁部４３ａに接続され、下面カバー４４の内側に配置された壁部５０ａ、５０ｂ、５０ｃを含んでいる。このような第１袋状部５０は、セキュリティスロット４６と連通する第１の空間５０１を形成している。具体的に、第１袋状部５０は、側壁部４３ａ、第１壁部５０ａ、第２壁部５０ｂ及び第３壁部５０ｃによって囲まれて閉じられた第１の空間５０１を形成している。第１の空間５０１は、セキュリティスロット４６に挿し込まれたセキュリティワイヤ８の掛合キー部８ｂが収納される。
【００４２】
第１壁部５０ａ、第２壁部５０ｂ及び第３壁部５０ｃが接続されて形成された壁部の両端は、側壁部４３ａに接続されている。すなわち、第１壁部５０ａと第２壁部５０ｂとは、概ね平行に配置されており、いずれも側壁部４３ａから下面カバー４４の内側に向かって延びている。第１壁部５０ａと第２壁部５０ｂとは、ほぼ同等の長さである。第３壁部５０ｃは、側壁部４３ａと概ね平行となるように、第１壁部５０ａの奥側の端部と第２壁部５０ｂの奥側の端部とを接続している。これにより、矩形の第１の空間５０１が形成されている。
【００４３】
第２袋状部５３は、第３壁部５０ｃの一部を含む。第２袋状部３３は、さらに、第３壁部５０ｃに接続され、下面カバー４４の内側に配置された壁部５３ａ、５３ｂ、５３ｃを含んでいる。このような第２袋状部５３は、第１袋状部３０が形成する第１の空間５０１に隣接する第２の空間５３１を形成している。具体的に、第２袋状部５３は、第３壁部５０ｃ、第４壁部５０ａ、第５壁部５０ｂ及び第６壁部５０ｃによって囲まれて閉じられた第２の空間５３１を形成している。
【００４４】
第４壁部５３ａ、第５壁部５３ｂ及び第６壁部５３ｃが接続されて形成された壁部の両端は、第３壁部５０ｃに接続されている。すなわち、第４壁部５３ａと第５壁部５３ｂとは、概ね平行に配置されており、いずれも第３壁部５０ｃから下面カバー４４のさらに内側に向かって延びている。第４壁部５３ａと第５壁部５３ｂとは、ほぼ同等の長さである。第６壁部５３ｃは、側壁部４３ａと概ね平行となるように、第４壁部５３ａの奥側の端部と第５壁部５３ｂの奥側の端部とを接続している。
【００４５】
ここで、側壁部４３ａ、第１壁部５０ａ乃至第６壁部５３ｃの肉厚は概ね均一である。
【００４６】
下面カバー４４は、第１袋状部５０に接続された第２袋状部５３を備えるので、第１袋状部５０周辺の強度が高い。本実施形態における第２袋状部５３は、第１実施形態の第２袋状部１３と異なっている。具体的に、第２袋状部５３は、下面カバー４４において、第１袋状部５０の奥側に設けられている。第１袋状部５０の両側にスペースを確保することが困難である場合には、第２袋状部５３の配置をこのようにしてもよい。
【００４７】
このような第３実施形態においても、第２の空間５３１内には、第１実施形態と同様に嵌合リブ１５を嵌め込む。これにより、さらに強度が向上する。
【００４８】
（第４実施形態）
つぎに、第４実施形態につき、図１６を参照しつつ説明する。図１６は第４実施形態の第１袋状部及び第２袋状部を示す説明図である。
【００４９】
図１６を参照すると、第１袋状部３０に含まれる第１壁部３０ａと第２袋状部３３に含まれる第４壁部３３ａとを接続する接続リブ３４ａが設けられている。また、第１袋状部３０に含まれる第２壁部３０ｂと第２袋状部３３に含まれる第４壁部３３ａとを接続する接続リブ３４ｂが設けられている。さらに、第１袋状部３０に含まれる第３壁部３０ｃと第２袋状部３３に含まれる第６壁部３３ｃとを接続する接続リブ３４ｃが設けられている。このように、第１袋状部３０に含まれる壁部３０ａ〜３０ｃと第２袋状部３３に含まれる壁部３３ａ〜３３ｃとを接続する接続リブ３４ａ〜３４ｃを備えることで、さらに強度を向上させることができる。なお、接続リブ３４ａ〜３４ｃは直線的な形状を有しているが、接続リブの形状はこれに限定されない。また、その高さも、問わない。ただし、特に接続リブ３４ｃについては、嵌合リブ１５の嵌合を阻害しない高さに設定される。
【００５０】
なお、図１６に示す例は、第２実施形態の第１袋状部と第２袋状部の配置を踏襲しているが、第１実施形態や第３実施形態のように第１袋状部と第２袋状部とを配置した場合にも同様に接続リブを設けることができる。
【００５１】
（第５実施形態）
つぎに、第５実施形態につき、図１７を参照しつつ説明する。図１７は第５実施形態の第１袋状部及び第２袋状部を示す説明図である。
【００５２】
図１７を参照すると、第１袋状部３０に含まれる壁部３０ａ〜３０ｃと第２袋状部３３に含まれる壁部３３ａ〜３３ｃとを接続する接続リブ３５が装備されている。第５実施形態が第４実施形態と異なるのは、接続リブ３５の形状である。第４実施形態の接続リブ３４ａ〜３４ｃはいずれも直線的な形状を有しているのに対し、第５実施形態の接続リブ３５は、六角形を連ねた形状を有している。このような形状の接続リブ３５を設けることで強度を向上させることができる。なお、接続リブ３５の形状は、六角形に限定されるものではなく、例えば、他の多角形や、円形、楕円形等、任意の形状を採用することができる。
【００５３】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００５４】
１  情報処理端末
２  表示部筐体
３  本体部筐体
３ａ、２３ａ、４３ａ  側壁部
４  下面カバー
５  上面カバー
６、２６、４６  セキュリティスロット
８  セキュリティワイヤ
８ａ  ロック機構部
８ｂ  掛合キー部
１０、３０、５０  第１袋状部
１３、３３、５３  第２袋状部
１５  嵌合リブ
３４ａ〜３４ｃ、３５  接続リブ
１０１、３０１、５０１  第１の空間
１３１、３３１、５３１  第２の空間
【図１】
2018073121.tif 000003
【図２】
2018073121.tif 000004
【図３】
2018073121.tif 000005
【図４】
2018073121.tif 000006
【図５】
2018073121.tif 000007
【図６】
2018073121.tif 000008
【図７】
2018073121.tif 000009
【図８】
2018073121.tif 000010
【図９】
2018073121.tif 000011
【図１０】
2018073121.tif 000012
【図１１】
2018073121.tif 000013
【図１２】
2018073121.tif 000014
【図１３】
2018073121.tif 000015
【図１４】
2018073121.tif 000016
【図１５】
2018073121.tif 000017
【図１６】
2018073121.tif 000018
【図１７】
2018073121.tif 000019